(57)【特許請求の範囲】
【請求項１】
搬送路において分析用の使用材料を供給することが可能となる分析センサ（１５）、表示装置（３）、分析用の使用材料（９）用のケーシング開口部（１０）を装備して搬送路と接続しているケーシング（４）、および前記使用材料（９）が収容されるドラムマガジンを備え、
搬送路内に突出している使用材料（９）を保持し、搬送路に沿って作動することが可能な搬送ローラ（１６、１８）を有してなる医学的に重要な成分にかかわる試料または生物学的液体を検査するための携帯式分析装置であって、
当該携帯式分析装置がプランジャ（１４）を備えており、該プランジャ（１４）を作動させることにより、前記プランジャ（１４）が、前記使用材料（９）を、該使用材料（９）の収納位置である前記ドラムマガジン内から前記搬送路内に移動させ、前記搬送路内に突出している使用材料（９）が搬送ローラ（１６、１８）によって保持され、かつ前記使用材料（９）が前記ドラムマガジン内から前記ドラムマガジンの外に突出する方向である取り出し方向に移動する
ことを特徴とする携帯式分析装置。
【請求項２】
搬送路において分析用の使用材料を供給することが可能となる分析センサ（１５）、表示装置（３）、分析用の使用材料（９）用のケーシング開口部（１０）を装備して搬送路と接続しているケーシング（４）、および前記使用材料（９）が収容されるドラムマガジンを備え、
搬送路内に突出している使用材料（９）を保持し、搬送路に沿って作動することが可能な搬送ローラ（１６、１８）を有してなる医学的に重要な成分にかかわる試料または生物学的液体を検査するための携帯式分析装置であって、
前記使用材料（９）が前記ドラムマガジン内から前記ドラムマガジンの外に突出する方向である取り出し方向と同様にその反対側の方向にも使用材料（９）を動かすために、前記搬送ローラ（１６、１８）が幾何学的な縦軸の周りを時計方向と反時計方向に駆動することが可能である
ことを特徴とする携帯式分析装置。
【請求項３】
前記搬送ローラ（１６、１８）の径が３〜１０ｍｍであることを特徴とする請求項１または２記載の携帯式分析装置。
【請求項４】
前記使用材料（９）を保護するために搬送路に沿って伸びる搬送ウェブ（１７）を有することを特徴とする請求項１〜３のいずれか１項に記載の携帯式分析装置。
【請求項５】
前記ケーシング（４）が分析用の使用材料（９）をドラムマガジン（６）から取り出すための取り出し装置（２９）を取り囲んでおり、当該取り出し装置（２９）がプランジャ（１４）を有し、前記ドラムマガジン（６）から使用材料（９）を押し出すために取り出し開口部（１２）と反対側にある挿入開口部（１３）に挿入することが可能であることを特徴とする請求項１〜４のいずれか１項に記載の携帯式分析装置。
【請求項６】
前記取り出し装置（２９）が駆動装置（３０）を有し、この駆動装置によって搬送ローラ（１６、１８）と同様にプランジャ（１４）も駆動することが可能となることを特徴とする請求項５記載の携帯式分析装置。
【請求項７】
前記取り出し装置（２９）が、使用材料（９）をドラムマガジン（６）のチャンバ（１１）に再度挿入することができる請求項５または６記載の携帯式分析装置。
【発明の詳細な説明】
【技術分野】
【０００１】
本発明は、医学的に重要となる成分において試料、特に生物学的液体を検査するための携帯式分析装置に関するものであり、搬送路において分析用の使用材料を供給することが可能となる分析センサ、表示装置、分析用の使用材料用のケーシング開口部を装備して搬送路と接続しているケーシングを含む。
【背景技術】
【０００２】
固体および液体のサンプル材料を化学的および生物学的に分析するために、専用の試験室および特に試験室の外側において使用するためのキャリア結合高速試験が設けられている。複雑な反応となるにもかかわらず敏感な試薬を使用することで素人でさえも簡単かつ扱いやすく前記キャリア結合高速試験を実施することが可能である。
【０００３】
キャリア結合高速試験に関する公知の実施例は、糖尿病患者の血糖濃度を測定するための試験エレメントである。帯状に作られた診断用の試験エレメントはテストストライプとも呼ばれている。公知の実施例はたとえば尿分析用の一重または二重のテストストライプおよびさまざまな検知紙である。帯状の試験エレメントとともに他の形態のキャリア結合の試験が存在するため、一般的には分析用の使用材料にたとえばランセットまたはサンプリングエレメントも数に含める。
【０００４】
前記分析用の使用材料は携帯用の携帯式分析装置において使用され、たとえば光学分析センサによりテストストライプの色の変化について判定する。たとえばＥＰ  １  ０２２  ５６５  Ａ２において説明したように、分析用の使用材料はドラムマガジンに保存される。ここで示したドラムマガジンは環状に配置された複数のチャンバを有し、これらのチャンバは分析用の使用材料を含み、ドラムマガジンの前面に取り出し開口部を有する。分析用の使用材料をたとえば湿気、光または埃といった有害となる周囲条件の影響から保護するために、これらのチャンバは通常封印フォイルによって封印されている。
【発明の開示】
【０００５】
たとえば血糖濃度を測定するための端末といった試料の医学的に重要となる成分を検査するための携帯式分析装置を使用者は通常毎日何回も使用し、常に携行する。したがって前記携帯式分析装置をできる限り小型に製造し、できる限り操作しやすくする必要が生じる。
【０００６】
はじめに説明した携帯式分析装置の場合、搬送路において突出している使用材料を保持し、搬送路に沿って作動することが可能な搬送ローラを有することによって本課題は解決される。
【０００７】
先行技術に基づく携帯式分析装置である場合にたとえば一滴の血液または尿を塗布した分析用の使用材料は、本発明に基づく携帯式分析装置では搬送ローラによって必要となる位置精度で端末の内側にある分析センサによって基本的に容易に供給される。
【０００８】
携帯式分析装置は、好ましくは使用材料をケーシング開口部に入れる際に操作し搬送ローラの駆動を作動させるスイッチを有する。前記スイッチは、たとえば自動スイッチである挿入された使用材料による搬送ローラへの加圧によって発生する搬送ローラの小さな回転運動によって作動する。スイッチはたとえば光電子センサとして作られている。別の方法となるのは、搬送開口部に挿入される使用材料から電気接点に取り付ける相互に離した２つの接触フィールドとしてのスイッチを作ることである。たとえば合成樹脂または紙で作られた使用材料によって生じる２つの接触フィールドのあいだにおける電気抵抗の非常に僅かな変更は、適切なトランジスタスイッチによって信頼性のあるものとなる。
【０００９】
本発明に基づく携帯式分析装置の場合には、使用者は使用材料を終端によってのみケーシング開口部に挿入しなければならない。その後搬送ローラは使用材料を保持する。使用材料の搬送および分析センサに関する使用材料の正確な配置は自動的に行なわれる。搬送ローラの駆動を停止するポジションスイッチによって使用材料の最終位置を機械的、電気化学的または光学的に検知することが可能となる。本発明に基づく方法にはさらに取り出し装置を小型に設計したという長所があり、特にドラムマガジンを使用する場合には先行技術に比べてより小型の携帯式分析装置を可能にする。ＥＰ  １  ０２２  ５６５  Ａ２記載のドラムマガジン用の取り出し装置を装備した公知の携帯式分析装置には、使用材料を取り出す際に取り出し開口部とは反対側にあるドラムマガジンのチャンバの挿入開口部に挿入されるプランジャとして作られている必要な長さのプランジャが必要となり、チャンバに含まれる使用材料は端末のチャンバおよびケーシング開口部から押し出される。プランジャがこうした機能を満たすことができるように、取り出す際に使用材料を搬送する搬送路の長さと少なくとも同じ長さでなければならない。このプランジャを取り付けるためには、先行技術に基づく前記携帯式分析装置はプランジャとドラムマガジンの長さの合計と少なくとも同じ長さでなければならない。
【００１０】
好ましくは本発明に基づく携帯式分析装置の場合にプランジャおよびケーシングを基本的に短縮することが可能となる。すなわち本発明に基づく携帯式分析装置の場合、搬送ローラによって保持され、取り出し装置において作動するようにプランジャによって使用材料をチャンバから押し出す。好ましくは搬送ローラが挿入されたドラムマガジンの取り出し開口部に直接隣接して配置されており、その結果使用材料の幅がプランジャからおよそ０．５ｃｍないし１ｃｍほどチャンバから押し出されている時には十分である。この時すでにプランジャは１ｃｍないし２ｃｍの長さで十分であるため、本発明に基づく携帯式分析装置は先行技術に基づく端末に比べておよそ１０ｃｍ短くなる。
【００１１】
好ましくは携帯式分析装置が試料によって汚れるという危険性が生じることなく、たとえば一滴の血液を使用材料に塗布するように搬送ローラによって使用材料をケーシングのケーシング開口部から簡単に押し出すことが可能である。分析用の使用材料において試料が塗布することに関して簡略化されることは、基本的には本発明に基づく携帯式分析装置をより快適に使用できることおよびより操作しやすくなることを意味している。本発明に基づく携帯式分析装置の場合には使用材料を携帯式分析装置のケーシング開口部から押し出さなければならないほど長いプランジャが必要となる。したがって公知の携帯式分析装置では使用材料に試料を塗布する場合における操作のしやすさは、携帯式分析装置の寸法がより大きくなっているという短所と常に関係している。
【発明を実施するための最良の形態】
【００１２】
本発明におけるその他の詳細事項および長所については、添付した図面に関する実施例に基づいて説明する。同じ部分および相互に対応している部分については同一の関連番号で示している。ここで示した特徴については、本発明の好ましい実施例を実現するために個別に使用することまたは組み合わせて使用することが可能である。
【００１３】
第１図では、たとえば血液、尿または唾液といった医学的に重要となる成分において試料、特に生物学的液体を検査するための小型で携帯用の携帯式分析装置１について示している。第１図において示した携帯式分析装置１は血糖濃度を測定するために使用され、市販の電池または太陽電池という形による電源２を有する。検査結果は表示装置３、好ましくは液晶ディスプレイによって表示される。携帯式分析装置１は交換することが可能なドラムマガジン６を支持する挿入開口部５をマガジンコンソール７に装備したケーシング４を有する。マガジンコンソール７ではドラムマガジン６は電気モータ８によって幾何学的な縦軸の周囲を回転することが可能であるため、ケーシング４のケーシング開口部１０を経由してドラムマガジン６に保存されている分析用の使用材料９を取り出すことが可能となる。
【００１４】
基本的に円筒形に形成されたドラムマガジン６は分析用の使用材料９を含む環状に幾何学的に縦軸の周囲に配置されたチャンバ１１を有する。チャンバ１１の数を任意に選択することが可能である。１０ないし１００のチャンバ１１が一般的であり、１５ないし３０のチャンバ１１を有するのが好ましい。個々のチャンバ１１はドラムマガジン６の前面に使用材料９を取り出すための取り出し開口部１２を有し、取り出し開口部１２の反対側に取り出し装置２９のプランジャ１４を挿入するための挿入開口部１３を有する。取り出し開口部１２および挿入開口部１３は、周囲条件の影響から使用材料９を保護するために封印フォイルによって封印されている。ＥＰ  １  ０２２  ５６５  Ａ２において説明したように、チャンバ１１から使用するためにプランジャとして作られたプランジャ１４は使用材料９を押し出し、この時挿入開口部１３の封印フォイルはプランジャ１４によって押し出され、取り出し開口部１２の封印フォイルは使用材料９によって押し出される。
【００１５】
使用材料９は好ましくはテストストライプとして作られており、この使用材料に試料を塗布することが可能である。テストストライプに含有する試薬は試料の医学的に重要な成分に反応するため、携帯式分析装置１の分析センサ１５によって反応結果を評価することができる。前記分析センサ１５はたとえばテストストライプとして作られた使用材料９の色の変化について検知する光学センサであるか、または試料の伝導率変調について検知する電気センサである。
【００１６】
電気モータ８によってドラムマガジン６を段階的に回転させることができるため、個々の取り出し開口部１２はケーシング４のケーシング開口部１０と直列に配置されており、その後取り出し装置２９のプランジャ１４は配置されたチャンバ１１を取り出すために使用材料９を押し出すことが可能である。上述の実施例の特徴となるのは、取り出し装置２９がプランジャ１４に加えて第２図に示した駆動可能な搬送ローラ１６を含んでいることである。搬送ローラ１６はドラムマガジン６から突出した使用材料９を保持し、取り出し方向に向かってすべてまたは一部をドラムマガジンから動かすことが可能である。搬送ローラ１６により可能となるのは先行技術において公知の端末に比べてプランジャ１４を基本的に短く設計することであり、プランジャ１４を経由して使用材料９を少しだけチャンバ１１から押し出すことが可能である時に十分なものとなる。
【００１７】
搬送ローラ１６によって保持されることができるように使用材料９をできる限り少なくチャンバ１１から突出させる必要があるために、好ましくは挿入したドラムマガジン６の取り出し開口部１２に直接隣接して搬送ローラ１６を配置する。挿入したドラムマガジン６と搬送ローラ１６とのあいだにはおよそ１ｍｍの僅かな最小間隔のみが必要となり、これによって搬送ローラ１６および挿入したドラムマガジン６が円滑に回転することができる。取り出し開口部１２のできる限り近くで搬送ローラ１６によって使用材料９を保持し、プランジャ１４をできる限り短く設計するための別の方法として、搬送ローラ１６は好ましくは直径およそ３ｍｍないし１０ｍｍであり、特に好ましくは４ｍｍないし７ｍｍである。
【００１８】
搬送ローラ１６は搬送ローラに固定された搬送面とともに搬送用間隙を形成し、搬送用間隙を経由して搬送方向に向かって使用材料９を動かす。これ以外に―――第３図ないし第７図において示したように―――搬送ローラ１６は搬送ローラと反対側に配置された対向ローラ３１とともに搬送用間隙を形成する。搬送用間隙は好ましくはたとえば搬送面または対向ローラにある溝という形で使用材料９に合わせた形状を有し、取り出す際の使用材料９の試験領域は押し込まれることがなく、これによって損傷することはない。搬送ローラ１６が固定された搬送面とともに作用することによる第２図において示した実施例において長所となるのは、取り出し装置２９には動く部分がより少なくてすむことであり、したがって特に安価でかつ不具合が少なくなるように設計するのが可能になることである。
【００１９】
携帯式分析装置１は取り出された使用材料９を支持するために取り出し方向に向かって伸びている搬送ウェブ１７を有する。搬送ローラ１６とともに搬送用間隙３３を形成する搬送面は搬送ウェブ１７の一部であるため、マガジンコンソール７からケーシング開口部１０にかけて伸びている。この方法によって取り出された使用材料９はすべての搬送路において搬送ウェブ１７により支持および誘導される。
【００２０】
搬送方向に向かって搬送ローラ１６とは間隔を置いて別の搬送ローラ１８が配置されており、搬送ウェブ１７とともに第２番目の搬送用間隙を形成している。第１番目の搬送ローラ１６が挿入したドラムマガジン６の取り出し開口部１２にできる限り密接して配置され、これにより使用材料９は保持することができるようにチャンバ１１からできる限り少なく突出していなければならないのと同時に、第２番目の搬送ローラ１８はケーシング４のケーシング開口部１０にできる限り密接して配置され、これにより使用材料９はケーシング４のケーシング開口部１０からできる限り遠くに押し出される。すなわちたとえばテストストライプとして作られた使用材料９がケーシング４のケーシング開口部１０から遠くに押し出されるほど、たとえば一滴の血液といった試料を使用材料９に塗布する量は少なくなり、試料によってケーシング４が汚れることはなくなる。
【００２１】
搬送ウェブ１７には搬送方向に向かって伸びた溝１９が設けられており、好ましくは使用材料９と搬送ウェブ１７とのあいだにおいて生じる摩擦を最小限にする。搬送ウェブ１７がたとえばポリカーボネートといった少ない摩擦係数によるできる限り滑らかな材料で作られているのと同時に、搬送ローラ１６、１８は好ましくは摩擦が大きくなるように作られたできる限り摩擦係数の大きな表面を有する。たとえば摩擦を増大させるためのローラの表面は粗く、硬質ゴムまたは軟質ゴムによって作られ、ゴムに類似した合成樹脂によって被覆されている。使用材料９の厚さが長さによって異なる場合、厚さの差を考慮して搬送ローラをばねで支えることが可能である。
【００２２】
上述の実施例において取り出し装置２９の搬送ローラ１６、１８およびプランジャ１４は唯一の駆動装置３０によって作動する。これ以外に可能となるのは、プランジャ１４用および搬送ローラ１６、１８用またはさらに個々の搬送ローラ１６、１８用に駆動装置としての独自のマイクロモータを装備することである。取り出し装置２９が駆動装置３０のみを有する場合には搬送ローラ１６、１８と同様にプランジャ１４も駆動することが可能であり、安価で好ましい。
【００２３】
取り出し装置２９の共通の駆動装置３０によって生じる動力をプランジャ１４と同様に搬送ローラ１６、１８にも伝達することができるように、取り出し装置２９はねじ２１のついたねじ付きロッド２０を有しており、挿入したドラムマガジン６付近で伸びて前面に突出している。第２図において示した実施例では取り出し装置２９はギヤ２２を有し、このギヤを介して駆動装置３０の一部である電気モータがプランジャ１４を作動する。ねじ付きロッド２０はギヤ２１とともに作用する歯車２３を有するため、ねじ付きロッド２０はギヤ２２および歯車２３を介して回転しながら滑動することが可能である。歯車２３はこの時たとえばねじ付きロッド２０の一部分に歯が設けられることにより、ねじ付きロッド２０に固定されるかまたはねじ付きロッド２０に一体化された別の部品として作られている。ねじ付きロッド２０をできる限り短く作るために、歯車２３は好ましくはねじ付きロッド２０の一方の終端に配置され、ねじ２１は別の終端に配置される。
【００２４】
ねじ付きロッド２０の回転はねじ付きロッド２０の別の終端に配置された外ねじ２１を介して搬送ローラ１６、１８に伝達することが可能である。この時２つの搬送ローラ１６、１８のそれぞれにはねじ付きロッド２０のねじ２１と噛み合う歯車２５を装備したシャフト２４が設けられている。シャフト２４およびねじ付きロッド２０は、少ない摩擦抵抗によって回転可能となるようにキャリア２８の凹部２７にあるベアリングリング２６によって軸受けしている。
【００２５】
取り出し方向と同様にその反対側の方向にも使用材料９を動かすために、好ましくは搬送ローラ１６、１８は幾何学的な縦軸の周囲において時計方向と同様に反時計方向にも駆動することが可能である。この方法によって可能となるのは、試料を塗布する量を軽減したり使用材料９を再度携帯式分析装置１に挿入するためにたとえばテストストライプといった使用材料９をケーシング４のケーシング開口部１０からできる限り遠くに押し出すことである。これによって可能となるのは分析センサ１５をケーシング４の内側にあるたとえば散光といった好ましくない周囲条件の影響を最小限にした保護された箇所に配置することである。好ましくは２つの搬送ローラ１６、１８のあいだに、特に搬送ウェブ１７の搬送ローラ１６、１８と反対側に分析センサ１５が配置される。搬送ウェブ１７には２つの搬送ローラ１６、１８のあいだに凹部が設けられているため、分析センサ１５は使用材料９に塗布された試料を検知することが可能である。使用材料９に塗布された試料が搬送ウェブ１７と接触している幅および奥行について搬送方向に伸びた搬送ウェブ１７の溝１９を測定する。
【００２６】
搬送ローラ１６、１８が幾何学的な縦軸の周囲を時計方向と同様に反時計方向にも回転することが可能である場合、使用材料９は取り出し方向と同様にその反対側の方向にも作動することが可能であり、好ましくは可能となるのは、検査を終了したあとに使用した使用材料９をドラムマガジン６のチャンバ１１に再度挿入することである。使用した使用材料９の再保存を促進するために、プランジャ１４には使用材料９を挿入することの可能な保持エレメントが装備され、これによって可能となるのは、プランジャ１４を介して引張力が使用材料９に影響を及ぼすことである。たとえば保持エレメントは、使用材料の鉄の部分を引きつける電磁石としてまたは搬送ローラ１６による影響を受けたようにあらかじめ定められた引張力の場合には折り曲げられ、使用材料９を解除する機械的なフックとして設計されている。
【００２７】
好ましくはこの方法によってドラムマガジン６に含まれるすべての使用材料９を一度に処分することが可能となり、使用者は個々の検査後に使用した使用材料９を個別に処分する必要がなくなる。
【００２８】
第３図ないし第７図では、ドラムマガジン６から使用材料９を取り出す場合における取り出し装置の別の実施例について図面で示している。はじめに説明した実施例との違いは、第３図ないし第７図で示した取り出し装置２９では搬送用間隙３３は搬送ローラ１６および搬送ローラに対して固定された搬送面によってではなく、搬送ローラ１６および搬送ローラと反対側に配置された対向ローラ３１によって形成されていることである。第３図ないし第７図で示した実施例の場合には搬送ローラ１６と同様に対向ローラ３１も駆動することができるようにそれぞれ作られている。搬送ローラ１６のみを駆動することが可能である場合にはこれで十分である。回転することが可能となるように軸受けしている場合には対向ローラ３１についても十分であるため、搬送用間隙３３を通って挿入される使用材料９が回転時に滑動可能である。
【００２９】
第３図ないし第７図で示した実施例の場合、使用材料９は試料を塗布するための試験領域３２を有するテストストライプとして作られている。使用材料９を取り出す際に試験領域３２はドラムマガジン６による影響を受けることがなく、使用材料にある試料は取り出し装置２９、特に搬送ローラ１６および対向ローラ３１を汚すことがないようにするために、上述の実施例では使用材料９が搬送用間隙を通っており、使用材料９の試験領域３２が搬送ローラ１６の幾何学的な回転軸に対して横方向に伸びている。こうした方法によって使用材料９の試験領域３２の汚れはさらに軽減されるのは、第２図において示した実施例ではたとえば溝１９という形によって搬送面を形成する搬送ウェブ１７のように使用材料９に合わせた形状を搬送用間隙３３によって実現する場合である。
【００３０】
第３図では、定位置において取り出し装置２９とともにドラムマガジンの中に使用材料９を装備したドラムマガジン６について示している。第４図において示しているように、搬送ローラ１６と対向ローラ３１とのあいだにある搬送用間隙３３において突出するとすぐにプランジャ１４によって使用材料９はドラムマガジン６から押し出され、搬送ローラ１６によって保持される。第５図では使用材料９が搬送ローラ１６によって携帯式分析装置１のケーシング開口部１０からどのようにして押し出されているのかについて示しているため、たとえば一滴の血液といった試料を試料塗布面３４に塗布することが可能となり、試料は試料塗布面から試験領域３２に到達する。その後第６図において示したように、使用材料９は反対方向に回転する搬送ローラ１６から再度携帯式分析装置１に挿入されるため、試料を検査するための試験領域３２は分析センサ１５の前に配置されている。プランジャ１４が使用材料９をドラムマガジン６から押し出した後、第６図において示した定位置に戻る。検査を終了した後には第７図において示したように搬送ローラ１６から再度取り出し方向に動き、携帯式分析装置１から放出される。
【００３１】
第８図ないし第１４図では、使用材料９を挿入する場合における携帯式分析装置１の別の実施例について示している。この携帯式分析装置１は、交換することが可能なドラムマガジンを支持するための挿入開口部を有しないという点で上述した携帯式分析装置１とは基本的に異なる。第８図ないし第１４図において示した携帯式分析装置１では分析用の使用材料９はテストストライプという形ですなわち端末の外側にケーシング開口部１０を経由して供給される。使用材料９をケーシング開口部１０に挿入する場合にはマイクロスイッチ（図示していない）を操作し、このマイクロスイッチによって搬送ローラ１６および対向ローラ３１の駆動装置のスイッチをオンにする。第９図において示したように、使用材料９は搬送ローラ１６および対向ローラ３１によって保持され、搬送路に沿って端末内部に押し込まれる。
【００３２】
携帯式分析装置１に取り付けられたドラムマガジン６から上述した実施例のような分析用の使用材料９を取り出すのではなく外部に供給する場合、劣化またはたとえば光、湿気または埃といった有害となる周囲条件の影響によって使用材料９が劣化するといった大きな危険性が生じる。したがって使用材料９は第１０図において示した挿入位置からさしあたり第１１図において示した試験位置に搬送され、劣化していないかどうかについての試験が行なわれる。この試験は光学測定装置を使用して行なわれ、使用材料９のフォイルホワイトレベルについて算出する。こうした目的のために、テストストライプとして作られた使用材料９はたとえば劣化および湿気の増大によって変色する白色の合成樹脂フォイルを試験領域３２の領域に有する。フォイルホワイトレベルについて算出することによって挿入された使用材料９が劣化しているかどうかを決定する。使用材料９が劣化している場合には、搬送ローラ１６および対向ローラ３１によって携帯式分析装置１から押し込まれる。使用材料９がまだ正常に機能する場合、搬送ローラ１６および対向ローラ３１によって搬送路に沿って第１４図において示した試料供給位置に供給される。試料塗布位置において使用材料９がケーシング開口部１０から突出しているため、たとえば一滴の血液といった試料を試料塗布面３４に塗布することが可能となる。
【００３３】
上述した携帯式分析装置１の重要な長所は、第１４図で示した試料塗布位置において携帯式分析装置１を汚すことなく試料を簡単に試料塗布面３４に塗布することができるように使用材料９がケーシング開口部１０から突出していることである。試料供給位置においてケーシング開口部１０から比較的遠くに突出した使用材料９により、試料を試料塗布面３４に塗布することについて使用者にとって明らかに簡単に行なわれる。特に試験領域３２にはたとえば毛細管引力によって試料を供給することが可能となり、必要となる試料の量が最小限になるように試料塗布面３４の近くに配置される。
【図面の簡単な説明】
【００３４】
【図１】携帯式分析装置の実施例についての図である。
【図２】図示した携帯式分析装置の取り出し装置の実施例についての図である。
【図３】使用材料を取り出す場合における取り出し装置の別の実施例についての図である。
【図４】使用材料を取り出す場合における取り出し装置の別の実施例についての図である。
【図５】使用材料を取り出す場合における取り出し装置の別の実施例についての図である。
【図６】使用材料を取り出す場合における取り出し装置の別の実施例についての図である。
【図７】使用材料を取り出す場合における取り出し装置の別の実施例についての図である。
【図８】使用材料を挿入する場合における携帯式分析装置の別の実施例についての図である。
【図９】使用材料を挿入する場合における携帯式分析装置の別の実施例についての図である。
【図１０】使用材料を挿入する場合における携帯式分析装置の別の実施例についての図である。
【図１１】使用材料を挿入する場合における携帯式分析装置の別の実施例についての図である。
【図１２】使用材料を挿入する場合における携帯式分析装置の別の実施例についての図である。
【図１３】使用材料を挿入する場合における携帯式分析装置の別の実施例についての図である。
【図１４】使用材料を挿入する場合における携帯式分析装置の別の実施例についての図である。
【符号の説明】
【００３５】
１  携帯式分析装置
２  電源
３  表示装置
４  ケーシング
５  挿入開口部
６  ドラムマガジン
７  マガジンコンソール
８  電気モータ
９  使用材料
１０  ケーシング開口部
１１  チャンバ
１２  取り出し開口部
１３  挿入開口部
１４  プランジャ
１５  分析センサ
１６  搬送ローラ
１７  搬送ウェブ
１８  搬送ローラ
１９  溝
２０  ねじ付きロッド
２１  ねじ
２２  ギヤ
２３  歯車
２４  シャフト
２５  歯車
２６  ベアリングリング
２７  凹部
２８  キャリア
２９  取り出し装置
３０  駆動装置
３１  対向ローラ
３２  試験領域
３３  搬送用間隙
３４  試料塗布面
【図１】
0004653801.tif 000002
【図２】
0004653801.tif 000003
【図３】
0004653801.tif 000004
【図４】
0004653801.tif 000005
【図５】
0004653801.tif 000006
【図６】
0004653801.tif 000007
【図７】
0004653801.tif 000008
【図８】
0004653801.tif 000009
【図９】
0004653801.tif 000010
【図１０】
0004653801.tif 000011
【図１１】
0004653801.tif 000012
【図１２】
0004653801.tif 000013
【図１３】
0004653801.tif 000014
【図１４】
0004653801.tif 000015